(57)【特許請求の範囲】
【請求項１】
円筒部と該円筒部の外面より半径方向に突き出た板状部とを備えた回動ピストンと、
前記回動ピストンを前記円筒部の中心軸線の周りに回動可能に支持する軸受部と、前記回動ピストンが前記軸受部により支持されて前記中心軸線の周りに回動するとき前記回動ピストンの前記板状部の縁を摺接させる環状の内壁面を呈する環状壁部とを備えたハウジングと
を含み、
前記回動ピストンと前記ハウジングとは、前記回動ピストンが前記ハウジングの前記軸受部により前記中心軸線の周りに回動可能に支持されたとき、前記回動ピストンと前記ハウジングの間に環状のシリンダ室を形成し、前記回動ピストンの前記板状部は前記環状のシリンダ室を横切って該環状リンダ室を前記板状部の一方の側にあるシリンダ室空間と前記板状部の他方の側にあるシリンダ室空間とに仕切るようになっており、
前記ハウジングは、更に、水道の蛇口を挿入される孔と該孔に挿入された蛇口より受け入れた水を前記環状シリンダ室へ向けて導く給水ポートとを備えた給水構造部と、前記環状シリンダ室より水を排出する排水ポートを備えた排水構造部と、前記給水ポートより前記環状シリンダ室を経て前記排水ポートに至る水の流路を切り換える切換弁とを有し、前記切換弁は前記給水ポートを前記環状シリンダ室の該切換弁より一方の側に延在する部分に接続し且つ該切換弁より他方の側に延在する部分から遮断すると同時に前記排水ポートを前記環状シリンダ室の該切換弁より前記他方の側に延在する部分に接続し且つ該切換弁より前記一方の側に延在する部分から遮断する第一の切換位置と前記給水ポートを前記環状シリンダ室の該切換弁より前記他方に側に延在する部分に接続し且つ該切換弁より前記一方に側に延在する部分から遮断すると同時に前記排水ポートを前記環状シリンダ室の該切換弁より前記一方の側に延在する部分に接続し且つ該切換弁より前記他方の側に延在する部分から遮断する第二の切換位置との間に切り換えられるようになっており、
前記回動ピストンは、前記板状部が前記環状シリンダ室に沿って一方向へ向かう回動の終端位置に達したとき前記切換弁を前記第一の切換位置へ駆動し、前記板状部が前記環状シリンダ室に沿って他方向へ向かう回動の終端位置に達したとき前記切換弁を前記第二の切換位置へ駆動する切換弁駆動手段を備えており、
前記回動ピストンの前記円筒部にはブラシが一端部にて取り外し可能に挿入されて前記円筒部内の空間を閉塞し且つ前記回動ピストンと共に回動するようになっていることを特徴とする食器洗浄器。
【請求項２】
前記回動ピストンの前記板状部は前記円筒部の中心軸線の周りに等隔置角にて隔置されて複数個設けられており、それに対応して前記給水ポート、前記排水ポート、前記切換弁もそれぞれ同数が等隔置角にて隔置されて設けられていることを特徴とする請求項１に記載の食器洗浄器。
【請求項３】
前記排水構造部は、更に、前記排水ポートに続いて前記環状シリンダ室に沿って環状に広がる環状水路と該環状水路に沿って隔置され該環状水路より水を噴出させる複数の噴水孔を備えていることを特徴とする請求項１または２に記載の食器洗浄器。
【請求項４】
前記ハウジングの前記排水構造部は、更に、前記噴水孔の開口度を全開と全閉の間で調節する噴水孔開口度調節手段を備えていることを特徴とする請求項３に記載の食器洗浄器。
【発明の詳細な説明】
【技術分野】
【０００１】
本発明は、水道の蛇口に取り付けられ、水道の水圧によりブラシを回動させる食器洗浄器に係る。
【背景技術】
【０００２】
水道の蛇口より流出する水の力を利用して食器を洗浄する食器洗浄器として、蛇口に装着されて蛇口から流出する水を通過させる本体と、前記本体に内蔵されて蛇口から流出する水の水力により回転する回転体と、前記回転体に一端部を装着されて該回転体と共に回転して食器を洗浄するブラシ状の洗浄体とを有することを特徴とする食器洗浄器が、下記の特許文献１に於いて提案されている。上記の特許文献１に於いて、前記回転体は、実施例の記載に於いて「回転翼」と記載され、実施例を示す図に於いては、垂直に配置された回転軸の上端部に装着された側面輪郭が長方形の物体として示され、本体と称される竪置き円筒形の容器内に配置され、該容器の頂部に開口するポートより容器内へ流入する水流を受け、回転翼を通過した水は前記容器の側壁の下端部に開口する排水口より容器外へ排出されるようになっている。この文献には「回転翼」についてのそれ以上の説明はないが、以上の記載より、この文献に於いて提案されている食器洗浄器に於ける前記回転体は水流タービンであると推察される。
【先行技術文献】
【特許文献】
【０００３】
【特許文献１】特開平０５-１１５４２１号公報
【発明の概要】
【発明が解決しようとする課題】
【０００４】
水流タービンは水流の動圧によりタービン翼車を駆動するものであり、水流の流量と流速に応じてそれなりの回転力を発生することができる。しかし、食器洗浄時に水道の蛇口から流出する水の流量および流速はさほど大きくはなく、蛇口によって絞られた後の水流の動圧で水流タービンを作動させても、食器洗浄用の回転ブラシを食器との接触による摩擦抵抗に打ち勝って駆動するに十分な回転力を得ることは到底不可能であると思われる。水流タービンでは、タービンに掛かる回転抵抗が増大すれば、タービンは停止し、水流は停止したタービンの翼間の通過に多少の抵抗を受けるが、それでも容易にタービン翼間を通って流れるので、タービン翼には水の静水圧による駆動力は殆ど作用しない。しかし、水道の蛇口弁の入口に於ける水道管内の静水圧は一般に０.５〜１ＭＰａ（約５〜１０気圧）であり、この静水圧は、蛇口弁の開度に応じて蛇口から流出する水流の流量が如何程に絞られても、その流れが堰き止められれば、静圧として復元するので、蛇口から流出する水流により容積型の水圧式アクチュエータを作動させれば、蛇口からの流水量の如何を問わず食器洗浄用のブラシを駆動するに十分な駆動力を得ることができると考えられる。
【０００５】
本発明は、上記の事情に鑑み、水道の蛇口弁の入口にて水道管内に存在する高い静水圧を有効に利用して食器洗浄用のブラシを駆動する食器洗浄器を提供することを課題としている。
【課題を解決するための手段】
【０００６】
上記の課題を解決するものとして、本発明は、
円筒部と該円筒部の外面より半径方向に突き出た板状部とを備えた回動ピストンと、
前記回動ピストンを前記円筒部の中心軸線の周りに回動可能に支持する軸受部と、前記回動ピストンが前記軸受部により支持されて前記中心軸線の周りに回動するとき前記回動ピストンの前記板状部の縁を摺接させる環状の内壁面を呈する環状壁部とを備えたハウジングと
を含み、
前記回動ピストンと前記ハウジングとは、前記回動ピストンが前記ハウジングの前記軸受部により前記中心軸線の周りに回動可能に支持されたとき、前記回動ピストンと前記ハウジングの間に環状のシリンダ室を形成し、前記回動ピストンの前記板状部は前記環状のシリンダ室を横切って該環状リンダ室を前記板状部の一方の側にあるシリンダ室空間と前記板状部の他方の側にあるシリンダ室空間とに仕切るようになっており、
前記ハウジングは、更に、水道の蛇口を挿入される孔と該孔に挿入された蛇口より受け入れた水を前記環状シリンダ室の一部へ向けて導く給水ポートとを備えた給水構造部と、前記環状シリンダ室の他の一部より水を排出する排水ポートを備えた排水構造部と、前記給水ポートより前記環状シリンダ室を経て前記排水ポートに至る水の流路を切り換える切換弁とを有し、前記切換弁は前記給水ポートを前記環状シリンダ室の該切換弁より一方の側に延在する部分に接続し且つ該切換弁より他方の側に延在する部分から遮断すると同時に前記排水ポートを前記環状シリンダ室の該切換弁より前記他方の側に延在する部分に接続し且つ該切換弁より前記一方の側に延在する部分から遮断する第一の切換位置と前記給水ポートを前記環状シリンダ室の該切換弁より前記他方に側に延在する部分に接続し且つ該切換弁より前記一方に側に延在する部分から遮断すると同時に前記排水ポートを前記環状シリンダ室の該切換弁より前記一方の側に延在する部分に接続し且つ該切換弁より前記他方の側に延在する部分から遮断する第二の切換位置との間に切り換えられるようになっており、
前記回動ピストンは、前記板状部が前記環状シリンダ室に沿って一方向へ向かう回動の終端位置に達したとき前記切換弁を前記第一の切換位置へ駆動し、前記板状部が前記環状シリンダ室に沿って他方向へ向かう回動の終端位置に達したとき前記切換弁を前記第二の切換位置へ駆動する切換弁駆動手段を備えており、
前記回動ピストンの前記円筒部にはブラシが一端部にて取り外し可能に挿入されて前記円筒部内の空間を閉塞し且つ前記回動ピストンと共に回動するようになっていることを特徴とする食器洗浄器を提案するものである。
【０００７】
前記回動ピストンの前記板状部は一つ設けられており、それに対応して前記給水ポート、前記排水ポート、前記切換弁もそれぞれ一つ設けられていてよいが、前記回動ピストンの前記板状部は前記円筒部の中心軸線の周りに等隔置角にて隔置されて複数個設けられ、それに対応して前記給水ポート、前記排水ポート、前記切換弁もそれぞれ同数が等隔置角にて隔置されて設けられていてもよい。
【０００８】
前記ハウジングの前記排水構造部は、更に、前記排水ポートに続いて前記環状シリンダ室に沿って環状に広がる環状水路と該環状水路に沿って隔置され該環状水路より水を噴出させる複数の噴水孔を備えていてよく、更に、前記噴水孔の開口度を全開と全閉の間で調節する噴水孔開口度調節手段を備えていてよい。
【発明の効果】
【０００９】
食器洗浄器が、
円筒部と該円筒部の外面より半径方向に突き出た板状部とを備えた回動ピストンと、
前記回動ピストンを前記円筒部の中心軸線の周りに回動可能に支持する軸受部と、前記回動ピストンが前記軸受部により支持されて前記中心軸線の周りに回動するとき前記回動ピストンの前記板状部の縁を摺接させる環状の内壁面を呈する環状壁部とを備えたハウジングと
を含み、
前記回動ピストンと前記ハウジングとは、前記回動ピストンが前記ハウジングの前記軸受部により前記中心軸線の周りに回動可能に支持されたとき、前記回動ピストンと前記ハウジングの間に環状のシリンダ室を形成し、前記回動ピストンの前記板状部は前記環状のシリンダ室を横切って該環状リンダ室を前記板状部の一方の側にあるシリンダ室空間と前記板状部の他方の側にあるシリンダ室空間とに仕切るようになっており、
前記ハウジングは、更に、水道の蛇口を挿入される孔と該孔に挿入された蛇口より受け入れた水を前記環状シリンダ室の一部へ向けて導く給水ポートとを備えた給水構造部と、前記環状シリンダ室の他の一部より水を排出する排水ポートを備えた排水構造部と、前記給水ポートより前記環状シリンダ室を経て前記排水ポートに至る水の流路を切り換える切換弁とを有し、前記切換弁は前記給水ポートを前記環状シリンダ室の該切換弁より一方の側に延在する部分に接続し且つ該切換弁より他方の側に延在する部分から遮断すると同時に前記排水ポートを前記環状シリンダ室の該切換弁より前記他方の側に延在する部分に接続し且つ該切換弁より前記一方の側に延在する部分から遮断する第一の切換位置と前記給水ポートを前記環状シリンダ室の該切換弁より前記他方に側に延在する部分に接続し且つ該切換弁より前記一方に側に延在する部分から遮断すると同時に前記排水ポートを前記環状シリンダ室の該切換弁より前記一方の側に延在する部分に接続し且つ該切換弁より前記他方の側に延在する部分から遮断する第二の切換位置との間に切り換えられるようになっており、
前記回動ピストンは、前記板状部が前記環状シリンダ室に沿って一方向へ向かう回動の終端位置に達したとき前記切換弁を前記第一の切換位置へ駆動し、前記板状部が前記環状シリンダ室に沿って他方向へ向かう回動の終端位置に達したとき前記切換弁を前記第二の切換位置へ駆動する切換弁駆動手段を備えており、
前記回動ピストンの前記円筒部にはブラシが一端部にて取り外し可能に挿入されて前記円筒部内の空間を閉塞し且つ前記回動ピストンと共に回動するようになっていれば、前記回動ピストンは、前記給水ポートより前記切換弁を経て前記板状部の一方の側または他方の側にあるシリンダ室空間へ導入される水の静水圧により前記環状シリンダ室内を往復動するよう駆動されるので、前記回動ピストンに装着された前記ブラシは、蛇口弁の開度の大小に拘わらず、蛇口弁入口の水の静水圧に対応する最大駆動トルクまで増大し得る駆動トルクにて駆動される。この場合、蛇口弁の開度が増大されれば、前記最大駆動トルクに達するまでの駆動トルクの範囲内にて駆動速度が増大する。前記環状シリンダ室内にて前記回動ピストンを駆動した後の水は、前記排水ポートより前記ハウジング外へ排出されるので、この排出水を前記ブラシの食器洗浄面またはその近傍へ向けて排出させれば、水を注がれつつ往復回動する前記回動ピストンに食器を押し付けてそれをブラシ洗浄することができる。
【００１０】
一方、前記ブラシを使用せず、蛇口からの水を普通に流出させたいときには、前記回動ピストンの前記円筒部内に前記ブラシを挿入することなく、該円筒部をそのままに開放しておけば、水は前記給水ポートより前記円筒部内へ流れ、該円筒部を通って直に流出する。
【００１１】
前記回動ピストンの前記板状部が一つ設けられており、それに対応して前記給水ポート、前記排水ポート、前記切換弁もそれぞれ一つ設けられていれば、前記回動ピストンは前記板状部を前記環状シリンダ室に沿って移動させつつ前記ハウジング内を３６０度に近い回動角にて往復回動するよう駆動される。前記回動ピストンの前記板状部が前記円筒部の中心軸線の周りに等隔置角にて隔置されて２個設けられており、それに対応して前記給水ポート、前記排水ポート、前記切換弁もそれぞれ２個が等隔置角にて隔置されて設けられていれば、前記回動ピストンは前記板状部を前記環状シリンダ室に沿って移動させつつ前記ハウジング内を１８０度に近い回動角にて往復回動するよう駆動される。前記回動ピストンの前記板状部が前記円筒部の中心軸線の周りに等隔置角にて隔置されて３個設けられており、それに対応して前記給水ポート、前記排水ポート、前記切換弁もそれぞれ３個が等隔置角にて隔置されて設けられていれば、前記回動ピストンは前記板状部を前記環状シリンダ室に沿って移動させつつ前記ハウジング内を１２０度に近い回動角にて往復回動するよう駆動される。但し、いずれの場合にも、前記環状シリンダ室の一部には前記切換弁が設けられ、また前記回動ピストンの前記板状部には前記切換弁駆動手段が設けられるので、前記回動ピストンの回動角はその分だけ３６０度、１８０度、１２０度より小さくなる。
【００１２】
前記排水構造部が、更に、前記排水ポートに続いて前記環状シリンダ室に沿って環状に広がる環状水路と該環状水路に沿って隔置され該環状水路より水を噴出させる複数の噴水孔を備えていれば、前記環状シリンダ室内にて前記回動ピストンを駆動した後の水は、前記ブラシを取り巻く環状の領域から該ブラシを包み込ように排出され、該ブラシによる食器洗浄効果を高めることができる。この場合、前記排水構造部が、更に、前記噴水孔の開口度を全開と全閉の間で調節する噴水孔開口度調節手段を備えていれば、前記噴水孔の開口度を変えることにより該噴水孔より噴出される水流の流速を変えることができる。また前記回動ピストンに前記ブラシを取り付けず、蛇口からの水を前記回動ピストンの前記円筒部内を通って直に流出させるとき、前記噴水孔開口度調節手段により前記噴水孔を全閉にしておけば、蛇口からの水の全てが前記円筒部から直に流出することを確実にすることができる。
【図面の簡単な説明】
【００１３】
【図１】本発明による食器洗浄器の一つの実施例をハウジングと回動ピストンが組み立てられた状態にて示す縦断面図である。
【図２】図１に示すハウジングと回動ピストンの組立体より回動ピストンを取り去ってハウジングのみについて示す縦断面図である。
【図３】図１に示すハウジングと回動ピストンの組立体に於ける回動ピストンの板状部が２つである場合について、ハウジングを図２に示す縦断面に対し直角をなす縦断面に於いて示す縦断面図である。
【図４】図１に示すハウジングと回動ピストンの組立体に於ける回動ピストンの板状部が２つである場合の、図１の断面IV−IVによる横断面を、回動ピストンが２つの異なる回動終端位置にある状態について、図Ａおよび図Ｂとして示す、一部横断面による平面図である。
【図５】図１に示すハウジングと回動ピストンの組立体に於ける回動ピストンの板状部が２つである場合の回動ピストンの側面視と平面視を示す側面図および平面図である。
【図６】図１に示すハウジングと回動ピストンの組立体に於けるハウジングよりその排水構造部に於ける複数の噴水孔の開口度を全開と全閉の間で調節する噴水孔開口度調節手段を取り去って複数の噴水孔の配列状態を示すハウジング排水構造部の底面図である。
【図７】図１に示すハウジングと回動ピストンの組立体に於けるハウジング排水構造部の複数の噴水孔の開口度が全開とされている状態と全閉とされている状態の底面視を、図Ａおよび図Ｂとして示す図である。
【図８】図１に示すハウジングと回動ピストンの組立体にグラス洗浄用のブラシが取り付けられた状態を示す一部断面による側面図である。
【図９】図１に示すハウジングと回動ピストンの組立体に皿洗浄用のブラシが取り付けられた状態を示す一部断面による側面図である。
【図１０】回動ピストンの板状部が１つである場合について、回動ピストンが２つの異なる回動終端位置にある状態を、図４の図Ａおよび図Ｂと同様の一部横断面による平面図にて図Ａおよび図Ｂとして示す図である。
【図１１】回動ピストンの板状部が３つである場合について、回動ピストンが２つの異なる回動終端位置にある状態を、図４の図Ａおよび図Ｂと同様の一部横断面による平面図にて図Ａおよび図Ｂとして示す図である。
【発明を実施するための形態】
【００１４】
上記の通り、図１は、本発明による食器洗浄器の一つの実施例をハウジングと回動ピストンが組み立てられた状態にて示す縦断面図であり、図２は、図１に示すハウジングと回動ピストンの組立体より回動ピストンを取り去ってハウジングのみについて示す縦断面図である。回動ピストンの中心軸線を通る縦断面がこれらの図に現れるようなハウジングと回動ピストンの組立体としては、回動ピストンの板部材は１個、２個または３個であってよいが、図１〜図９に示す実施例は、回動ピストンの板部材が２個のものであるとし、その一部の修正例として、回動ピストンの板部材が１個および３個の場合の構造を、図４に対応して、図１０および図１１に示す。
【００１５】
これらの図に於いて、１０は回動ピストンであり、円筒部１２と該円筒部の外面より半径方向に突き出た２つの板状部１４a、１４bを備えている。２つの板状部１４a、１４bは円筒部１２の中心軸線Ｃ−Ｃの周りに対称に配置されている。１６はハウジングであり、回動ピストン１０を円筒部１２の中心軸線Ｃ−Ｃの周りに回動可能に支持する軸受部１８a、１８bと、回動ピストンが軸受部１８a、１８bにより支持されて中心軸線Ｃ−Ｃの周りに回動するとき回動ピストンの板状部１４a、１４bの縁２０a、２０bを摺接させる環状の内壁面を呈する環状壁部２２を備えている。図示の実施例では、板状部１４a、１４bは輪郭が長方形の板であり、縁２０a、２０bはそれぞれ長方形の板の側縁、上縁、下縁である。これに対応して環状壁部２２は、円筒状の外周壁部とその上下端に連なる円環板状の上壁部および底壁部である。
【００１６】
回動ピストン１０がハウジングの軸受部１８a、１８bにより中心軸線Ｃ−Ｃの周りに回動可能に支持されたとき、回動ピストン１０とハウジング１６とは、それらの間に環状のシリンダ室２４を形成し、回動ピストンの板状部１４a、１４bの各々は該環状シリンダ室２４を横切って該環状リンダ室を各板状部の一方の側にあるシリンダ室空間と他方の側にあるシリンダ室空間とに仕切るようになっている。板状部１４a、１４bの各々は環状のシリンダ室２４に沿って摺動するピストンを構成している。
【００１７】
ハウジング１６は、更に、水道の蛇口を挿入される孔２６と該孔に挿入された蛇口より受け入れた水を環状シリンダ室２４へ向けて導く給水ポート２８a、２８bを備えた給水構造部３０と、環状シリンダ室２４より水を排出する排水ポート３２a、３２bを備えた排水構造部３４と、給水ポート２８a、２８bより環状シリンダ室２４を経て排水ポート３２a、３２bに至る水の流路を切り換える切換弁３６a、３６bとを備えている。水道の蛇口を挿入される孔２６はゴム製の環状パッキン３８により縁取りされており、ハウジング１６は、孔２６内に水道の蛇口が挿入される要領にて水道の蛇口に取り付けられ、ねじ４０の締め付けにより水道の蛇口に固定されるようになっている。切換弁３６a、３６bはそれぞれ支持軸３７a、３７bの周りに回動する板状体よりなるフラップ弁であり、図１にはて破線によりまた図２にては実線にて示されている傾動位置と図１および図２にて仮想線により示されている傾動位置の間で傾動する。
【００１８】
切換弁３６aは給水ポート２８aを環状シリンダ室２４の該切換弁より一方の側に延在する部分４２aに接続し且つ該切換弁より他方の側に延在する部分４２bから遮断すると同時に排水ポート３２aを環状シリンダ室２４の該切換弁より前記他方の側に延在する部分４２bに接続し且つ該切換弁より前記一方の側に延在する部分４２aから遮断する第一の切換位置（図１にて破線により、また図２にて実線により示された位置であり、図４にては図Ａに示された位置）と、給水ポート２８aを環状シリンダ室２４の該切換弁より前記他方に側に延在する部分４２bに接続し且つ該切換弁より前記一方に側に延在する部分４２aから遮断すると同時に排水ポート３２aを環状シリンダ室２４の該切換弁より前記一方の側に延在する部分４２aに接続し且つ該切換弁より前記他方の側に延在する部分４２bから遮断する第二の切換位置（図１および図２にて仮想線により示された位置であり、図４にては図Ｂに示された位置）との間に切り換えられるようになっている。
【００１９】
同様に、切換弁３６bは給水ポート２８bを環状シリンダ室２４の該切換弁より一方の側に延在する部分４２b（切換弁３６aについて上に記載した他方の部分４２bと同じ）に接続し且つ該切換弁より他方の側に延在する部分４２a（切換弁３６aについて上に記載した一方の部分４２aと同じ）から遮断すると同時に排水ポート３２bを環状シリンダ室２４の該切換弁より前記他方の側に延在する部分４２aに接続し且つ該切換弁より前記一方の側に延在する部分４２bから遮断する第一の切換位置（図４にて図Ａに示された位置）と、給水ポート２８bを環状シリンダ室２４の該切換弁より前記他方に側に延在する部分４２aに接続し且つ該切換弁より前記一方に側に延在する部分４２bから遮断すると同時に排水ポート３２bを環状シリンダ室２４の該切換弁より前記一方の側に延在する部分４２bに接続し且つ該切換弁より前記他方の側に延在する部分４２aから遮断する第二の切換位置（図４にて図Ｂに示された位置）との間に切り換えられるようになっている。
【００２０】
切換弁３６aは、回動ピストン１０が図４でみて時計廻り方向の回動の終端に来たとき、板状部１４aの一方の側に突き出た切換弁駆動ピン４４aaによって前記第一の切換位置（図４にて図Ａに示す位置）へ駆動され、回動ピストン１０が図４でみて反時計廻り方向の回動の終端に来たとき、板状部１４bの一方の側に突き出た切換弁駆動ピン４４baによって前記第二の切換位置（図４にて図Ｂに示す位置）へ駆動される。同様に、切換弁３６bは、回動ピストン１０が図４でみて時計廻り方向の回動の終端に来たとき、板状部１４bの他方の側に突き出た切換弁駆動ピン４４bbによって前記第一の切換位置（図４にて図Ａに示す位置）へ駆動され、回動ピストン１０が図４でみて反時計廻り方向の回動の終端に来たとき、板状部１４aの他方の側に突き出た切換弁駆動ピン４４abによって前記第二の切換位置（図４にて図Ｂに示す位置）へ駆動される。
【００２１】
ハウジング１６の排水構造部３４には、環状シリンダ室２４より排水ポート３２a、３２bを経て排出される水を環状シリンダ室２４に沿って環状に広がらせる環状水路４６と、これより水を噴出させる複数の噴水孔４８が設けられている。噴水孔４８はハウジングの環状壁部２２の円環状の底壁部５０に開けられた孔５２と、底壁部５０に回動可能に装着された環状のノズル板５４に開けられた孔５６の連通により形成される通水孔である。底壁部５０に開けられた孔５２は、図６に示されているように底壁部５０の環に沿って均等の配分で隔置されていてよく、これに対応して環状のノズル板５４に開けられた孔５６は、図７の図Ａに示すように孔５２と重なり合うように配置されている。図示の例では、孔５２は断面が一様の孔とされ、孔５６は先細の孔とされている。
【００２２】
底壁部５０へのノズル板５４の回動可能な取り付けは、底壁部５０の外周面とこれに重なり合うノズル板５４のフランジ部の内周面とに対向して彫り込まれた環状溝内に波形のＣ字型クリップ５８が組み込まれることによって行われてよい。かかる底壁部５０へのノズル板５４の回動可能な取り付けによって、底壁部５０に対しノズル板５４が適宜回動されることにより、噴水孔４８の開口度は、図７の図Ａに示す如く底壁部５０の孔５２にノズル板５４の孔５６が整合した全開状態と、図７の図Ｂに示す如くノズル板５４の孔５６が底壁部５０の孔５２との整合より完全に外れた全閉状態との間で所望の度合に調節される。
【００２３】
回動ピストン１０の円筒部１２の内周面には、図１に示す如く、中心軸線Ｃ−Ｃに平行に延在する雌型スプライン６０が形成されている。この雌型スプライン６０に対し、図８に示す如くこれと係合する雄型スプライン６２を形成された柄部６４を備えたブラシ６６が、雌雄のスプライン係合により回動ピストン１０に取り付けられるようになっている。雌型スプライン６０への雄型スプライン６２の挿入の終端位置は、柄部６４に設けられた鍔６８が回動ピストン１０の円筒部１２の下端面に当接することにより定まり、この挿入位置は柄部６４の内部より雄型スプライン６２外へ板ばね７０により弾力的に押し出されたピン７２が雌型スプライン６０を横切って形成された環状溝７４に嵌入することによって保持されるようになっている。ピン７２は柄部６４の外からボタン７６を押して板ばね７０を弾力的に撓ませることにより雄型スプライン６２内に引っ込められるようになっている。ピン７２の先端は丸くされ、雌型スプライン６０の下端は拡径方向にテーパを付され、回動ピストン１０にブラシ６６を取り付けるときには、ブラシ６６の雄型スプライン６２を回動ピストン１０の雌型スプライン６０内へ単に挿入が止まるまで差し込めばよく、回動ピストン１０よりブラシ６６を外すときには、ボタン７６を押しながら回動ピストン１０よりブラシ６６を引き抜けばよい。
【００２４】
図１に示す如く回動ピストン１０にブラシは取り付けられておらず、その円筒部１２の内部が開放されているときには、ハウジング１６が孔２６にて水道の蛇口に取り付けられ、水道の蛇口から水が放出されると、水はそのまま回動ピストン１０の円筒部１２の内部を通って流出する。このとき蛇口から出る水の一部は給水ポート２８a、２８bへ逸れ、環状シリンダ室２４を経て噴水孔４８より排出されることになるかもしれないが、それを阻止し、蛇口から出る水の全てを回動ピストン１０の円筒部１２の内部に通したければ、ノズル板５４を底壁部５０に対して図７の図Ｂに示す位置に設定し、噴水孔４８を全閉状態にしておけばよい。水道の蛇口から出た水が回動ピストン１０の円筒部１２の内部を通って流出する状態では、図示の装置は単に蛇口を幾分延長するだけの作用をする。
【００２５】
一方、ハウジング１６が孔２６にて水道の蛇口に取り付けられ、回動ピストン１０にブラシが取り付けられた状態で水道の蛇口が開かれると、回動ピストン１０の円筒部１２の内部はブラシにより閉塞されているので、水は給水ポート２８a、２８bを経て環状シリンダ室の部分４２aおよび４２bへ流れる。この場合、水は、切換弁３６a、３６bの切換位置に応じて、回動ピストン１０の板状体１４a、１４bのいずれかの側に流れる。
【００２６】
今、切換弁３６a、３６bが図４の図Ａに示す切換位置にあるとすると、給水ポート２８aを通った水は環状シリンダ室２４のうちの回動ピストン１０の板状体１４aより切換弁駆動ピン４４aaのある側に流れ、給水ポート２８bを通った水は回動ピストン１０の板状体１４bより切換弁駆動ピン４４bbのある側に流れる。従って、回動ピストン１０の板状体１４aより切換弁駆動ピン４４aaのある側および回動ピストン１０の板状体１４bより切換弁駆動ピン４４bbのある側には水道蛇口の静水圧が作用する。このとき環状シリンダ室２４のうちの回動ピストン１０の板状体１４aより切換弁駆動ピン４４abのある側は切換弁３６bを経て排水ポート３２bへ開かれており、板状体１４bより切換弁駆動ピン４４baのある側は切換弁３６aを経て排水ポート３２aへ開かれているので、いずれも大気圧下にある。従って、回動ピストン１０の板状体１４aおよび１４bの両側には水の静水圧と大気圧の差が作用する。板状体１４aおよび１４bの一方の側に作用する水の静水圧は、回動ピストン１０の回動が阻止されれば、水道蛇口入口の静水圧まで増大する。かくして回動ピストン１０は、その板状体１４aおよび１４bの両側に作用する水の静水圧と大気圧の差により図４で見て反時計廻りの方向に駆動される。この駆動によって回動ピストン１０の反時計廻り方向の回動が進むと、板状体１４aの切換弁駆動ピン４４abは切換弁３６bに当接してこれを駆動し、切換弁３６bを図４の図Ａに示す切換位置から図Ｂに示す切換位置へ切換え、また同時に板状体１４bの切換弁駆動ピン４４baは切換弁３６aに当接してこれを駆動し、切換弁３６aを図４の図Ａに示す切換位置から図Ｂに示す切換位置へ切換える。
【００２７】
切換弁３６aおよび３６bが図４の図Ａに示す切換位置から図Ｂに示す切換位置へ切換えられると、給水ポート２８aを通った水は環状シリンダ室２４のうちの回動ピストン１０の板状体１４ｂより切換弁駆動ピン４４baのある側に流れ、給水ポート２８bを通った水は回動ピストン１０の板状体１４aより切換弁駆動ピン４４abのある側に流れる。従って、回動ピストン１０の板状体１４aより切換弁駆動ピン４４abのある側および板状体１４bより切換弁駆動ピン４４baのある側には水道蛇口の静水圧が作用する。一方、回動ピストン１０の板状体１４aより切換弁駆動ピン４４aaのある側は切換弁３６aを経て排水ポート３２aへ開かれ、また板状体１４bより切換弁駆動ピン４４bbのある側は切換弁３６bを経て排水ポート３２bへ開かれる。従って、回動ピストン１０の板状体１４aおよび１４bの両側には水道蛇口の静水圧と大気圧の差がそれまでとは逆の方向に作用し、これより回動ピストン１０は図４で見て時計廻りの方向に回動する。回動ピストン１０の図４で見て時計廻りの方向の回動は、その終端にて切換弁３６a、３６bを再び図４の図Ａに示す切換位置へ切り換える。
【００２８】
かくして、回動ピストン１０は図４の図Ａに示す状態から図Ｂに示す状態まで反時計廻り方向に回動し、次いで図Ｂに示す状態から図Ａに示す状態まで時計廻り方向に回動する作動を繰り返し、これに伴って回動ピストン１０に取り付けられたブラシ６６は、切換弁駆動ピン４４aa等の長さにもよるが、図示の実施例では、約１１０度の回動角にて往復回動する。
【００２９】
図９は、図８に示すグラスの洗浄に適したブラシ６６に代えて皿の洗浄に適したブラシ７８が回動ピストン１０に取り付けられた状態を示す図８と同様の図である。図９に示すその他の構成は、図８に於けるものと同じである。
【００３０】
図１０は、図４等について説明した給水ポート２８a、２８b、切換弁３６a、３６b、回動ピストンの板状部１４a、１４bがそれぞれただ１個とされた実施例を図４と同じ要領にて示す図である。この場合、回動ピストンは、図１０の図Ａに示す状態と図Ｂに示す状態の間で、４４aa等の如き切換弁駆動ピンの長さにもよるが、図示の実施例では、約２９０度にわたって往復回動する。
【００３１】
図１１は、図４等について説明した給水ポート２８a、２８b、切換弁３６a、３６b、回動ピストンの板状部１４a、１４bがそれぞれ３個とされた実施例を図４と同じ要領にて示す図である。この場合、回動ピストンは、図１１の図Ａに示す状態と図Ｂに示す状態の間で、４４aa等の如き切換弁駆動ピンの長さにもよるが、図示の実施例では、約５０度にわたって往復回動する。
【００３２】
以上に於いては本発明を一つの実施例とその一部の変更例について詳細に説明したが、かかる実施例について本発明の範囲内にて種々の修正が可能であることは当業者にとって明らかであろう。
【符号の説明】
【００３３】
１０−回動ピストン，１２−円筒部，１４a，１４b−板状部，１６−ハウジング，１８ａ，１８b−軸受部，２０a，２０b−板状部の縁，２２−環状壁部，２４−環状シリンダ室，２６−蛇口挿入孔，２８ａ，２８b−給水ポート，３０−給水構造部，３２a，３２b−排水ポート，３４−排水構造部，３６a，３６b−切換弁，３７a、３７b−切換弁の支持軸，３８−環状パッキン，４０−ねじ，４２a，４２b−環状シリンダ室の部分，４４aa，４４ab，４４ba，４４bb−切換弁駆動ピン，４６−環状水路，４８−噴水孔，５０−環状壁部の底壁部，５２−孔，５４−ノズル板，５６−孔，５８−Ｃ字型クリップ，６０−雌型スプライン，６２−雄型スプライン，６４−柄部，６６−ブラシ，６８−鍔，７０−板ばね，７２−ピン，７４−環状溝，７６−ボタン，７８−ブラシ
【図１】
0005583719.tif 000002
【図２】
0005583719.tif 000003
【図３】
0005583719.tif 000004
【図４】
0005583719.tif 000005
【図５】
0005583719.tif 000006
【図６】
0005583719.tif 000007
【図７】
0005583719.tif 000008
【図８】
0005583719.tif 000009
【図９】
0005583719.tif 000010
【図１０】
0005583719.tif 000011
【図１１】
0005583719.tif 000012